(57)【要約】【課題】よりソフトな感触が得られる背負い式バッグの背当て部材を提供すること。【解決手段】この発明の背負い式バッグの背当て部材は、背負い式バッグを背負ったときに使用者の背中に当たる背当て部材であって、外装生地１１と背板１２との間に、空隙１６を有する領域を設けたものとしている。外装生地１１と背板１２との間には、隆起部分用クッション材１３ａを有する領域を設けることができる。また、空隙１６を有する領域を下端側に設けたものとすることができる。【選択図】  図４
2004194929.tif 000002
【特許請求の範囲】
【請求項１】
背負い式バッグを背負ったときに使用者の背中に当たる背当て部材であって、外装生地（１１）と背板（１２）との間に、空隙（１６）を有する領域を設けたことを特徴とする背負い式バッグの背当て部材。
【請求項２】
外装生地（１１）と背板（１２）との間に、隆起部分用クッション材（１３ａ）を有する領域を設けた請求項１記載の背負い式バッグの背当て部材。
【請求項３】
空隙（１６）を有する領域を下端側に設けた請求項２記載の背負い式バッグの背当て部材。
【発明の詳細な説明】
【０００１】
【発明の属する技術分野】
この発明は、背負い式バッグを背負ったときに使用者の背中に当たる、背負い式バッグの背当て部材に関するものである。
【０００２】
【従来の技術】
従来より、スポンジ等の発泡体からなるクッション材を内挿し、背中への当たりが柔らかくなるようにした背負い式バッグの背当て部材が存在する（例えば特許文献１参照）。
【０００３】
クッション材は、長期間弾力性を維持することができるものではあるが、使用者である小学生にとっては、長時間使用していると、硬く感じられることもあり、必ずしも背負い心地の良いものではなく、さらにソフトな感触の得られる背当て部材が望まれていた。
【０００４】
特に、本願の先行出願である、特願２００２−３４７３７４に記載のような、肩掛けベルトがランドセル本体から上方に向いた状態となるように取り付けられ、使用者が背負った場合に、ランドセル本体が常に斜め上方に引っ張られた状態となり、肩掛けベルトが使用者の肩に添うように曲がるようにしたランドセルでは、背当て部材が使用者の背中に密着した状態に保たれるので、背当て部材がよりソフトに背中に当たるようにすることが望まれる。
【０００５】
【特許文献１】
特開平６−２６９３１０号公報
【０００６】
【発明が解決しようとする課題】
そこで、この発明は、よりソフトな感触が得られる背負い式バッグの背当て部材を提供することを課題とする。
【０００７】
【課題を解決するための手段】
前記課題を解決するため、この発明は次のような技術的手段を講じている。
【０００８】
この発明の背負い式バッグの背当て部材は、背負い式バッグを背負ったときに使用者の背中に当たる背当て部材であって、外装生地１１と背板１２との間に、空隙１６を有する領域を設けたものとしている。
【０００９】
外装生地１１と背板１２との間には、隆起部分用クッション材１３ａを有する領域を設けることができる。
【００１０】
また、空隙１６を有する領域を下端側に設けたものとすることができる。
【００１１】
【発明の実施の形態】
以下、この発明の実施の形態を、図面を参照して説明する。
【００１２】
この発明の背負い式バッグの背当て部材は、背負い式バッグを背負ったときに使用者の背中に当たる背当て部材であって、外装生地１１と背板１２との間に、空隙１６を有する領域を設けたものである。
【００１３】
図１はこの発明の実施形態の背負い式バッグの背当て部材を設けた背負い式バッグ（ランドセル）の正面図、図２はその斜視図、図３はこの背当て部材の分解状態の斜視図、図４は断面図である。
【００１４】
この背負い式バッグの背当て部材は、例えば、図１、図２に示したような、一対の肩掛けベルト５を、この肩掛けベルト５の取付部６がランドセル本体７から上方に向いた状態で取り付けたランドセルに使用することができる。このランドセルは、本願の先行出願である特願２００２−３４７３７４の明細書及び図面に記載のランドセルと同様に、ランドセル本体７の背当て部８の上部に設けた取付具９の左右一対の連結体１０の上端部に、弾性部材（図示せず）を取付部６寄りに保持した一対の肩掛けベルト５を、この肩掛けベルト５の取付部６がランドセル本体７から上方に向いた状態で取り付けたものである。
【００１５】
このランドセルは、前記構成により、肩掛けベルト５がランドセル本体７から上方に向くようになっており、使用者が背負った場合に、ランドセル本体７が常に斜め上方に引っ張られた状態となり、肩掛けベルト５が使用者の肩に添うように曲がるため、背当て部８が使用者の背中に密着した状態に保たれる。
【００１６】
この背当て部材は、図３に示したように、外装生地１１、背板１２及びクッション材１３ａ，１３ｂから構成される。外装生地１１は、四角形状の合成樹脂からなる人工皮革の生地の裏面に不織布を貼り合わせたものとしている。
【００１７】
背板１２は、プラスチック、ベニヤ等、適宜の剛性を有する素材からなる四角形状の板としている。背板１２は弾力性を有するものであることが望ましい。
【００１８】
クッション材１３ａ，１３ｂは、隆起部分となる位置に設けられる２つの隆起部分用クッション材１３ａと、外装生地１１の裏面全体を覆う１枚の四角形のシート状クッション材１３ｂからなる。隆起部分用クッション材１３ａ及びシート状クッション材１３ｂは、いずれもスポンジとしているが、これに限定されない。
【００１９】
外装生地１１には、凹部４と隣接する部分に裏面側から表面（使用者の背中に接触する面１）側へ突出する窪み１４を形成している。窪み１４は、外装生地１１を加熱した型で型押しすることにより形成することができる。このようにして形成される外装生地１１は、凹部４を縦横に自由に交差したものとすることが可能である。
【００２０】
この背当て部材は、外装生地１１の裏側の窪み１４に隆起部分用クッション材１３ａを配置し、シート状クッション材１３ｂを、外装生地１１の裏面の不織布に接着剤を使用して接着し、そして、シート状クッション材１３ｂを設けた面で背板１２に固定する。背板１２への固定は、接着剤による接着、縫着等適宜の方法で行うことができる。この実施形態では、図１、図２の点線で示した部分を縫着している。
【００２１】
この実施形態では、中央の肩ベルト５の取付具９を固定する部分の下方に三角形の隆起部分１５ａ、この三角形の上部の左右に小さな逆三角形の隆起部分１５ｂ、さらに、左端２側及び右端３側に上端側から下端側に延びる長尺な隆起部分１５ｃを設け、そして、略中央に左端２側から右端３側に至る凹部４を２つ設けている（点線の部分）。各隆起部分１５ａ〜１５ｃは、凹部４により分断された格好になる。
【００２２】
また、各隆起部分１５ａ、１５ｂ、１５ｃ間の隙間（上端側中央から隆起部分１５ａの左右各辺に沿って下端側に至る隙間、及びこれに合流する隆起部分１５ｂの外側の辺に沿う隙間）が、上端側から下端側に至る凹部４として構成されている。
【００２３】
左端２側から右端３側に至る凹部４は、いずれも下方に湾曲した緩やかな円弧状としており、前記中央の三角形の隆起部分１５ａにおいて、前記三角形の頂部から底辺までの距離を略３等分する位置を通るように設けられている。
【００２４】
左端２側から右端３側に至る凹部４は、使用者が背負い式バッグを背負ったときに水平方向となるので、使用者の移動や風の流れる方向と略一致し、通気性を確保するのに適している。また、上端側から下端側に至る凹部４は、外装材と使用者との接触面を減らすとともに熱を逃がすことができるので、より背負い式バッグの使用感が向上する。なお、凹部４は、これに限定されず、一の角部からこれと対向する角部に至るように斜めに設けることもできる。また、凹部４の数も特に限定されない。
【００２５】
隆起部分１５ａ〜１５ｃの頂部と凹部４の底部との高さの差は１〜２ｃｍ程度、凹部４の幅は底部が５ｍｍ程度で、上方に向かって広がるようにしているが、特にこれに限定されない。
【００２６】
隆起部分用クッション材１３ａは、前記凹部４で３つに分断された中央の三角形の隆起部分１５ａのうち、上部２つに対応する窪み１４に嵌合させて設けられ、その裏面がシート状クッション材１３ｂに隙間なく全面的に接するようにしている。
【００２７】
また、前記分断された隆起部分１５ａの最下段や、他の隆起部分１５ｂ，１５ｃに対応する窪み１４には、隆起部分用クッション材１３ａを設けないものとしているため、図４に示したように、外装生地１１と背板１２との間に空隙１６を有する領域が存在する。
【００２８】
なお、前記分断された隆起部分１５ａの最下段や、前記他の隆起部分１５ｂ，１５ｃに、裏面側が周縁部を残してえぐられた形状の隆起部分用クッション材１３ａを配置することにより、外装生地１１と背板１２との間に空隙１６を有する領域を形成してもよい。
【００２９】
前記空隙１６を有する領域が存在する隆起部分は、空隙１６により、その上方の隆起部分用クッション材１３ａを有する領域が存在する隆起部分よりも使用者の背中にソフトに当たる。
【００３０】
空隙１６は、外装生地１１と背板１２との間に密閉されたものでも、密閉されていないものでもよい。空隙１６が密閉されたものではない場合は、空隙１６を有する領域の隆起部分が押されて凹んでも、すぐに元の状態に回復するように、例えば、前記裏面側が周縁部を残してえぐられた形状の隆起部分用クッション材１３ａを設ける等して、外装生地１１の窪み１４が保形されるようにすることが望ましい。
【００３１】
なお、クッション材については、隆起部分用クッション材１３ａとシート状クッション材１３ｂのいずれか一方のみを使用する構成としたり、あるいはクッション材１３ａ，１３ｂを使用しない構成とし、全体的に空隙１６を有する領域を設けて、使用者の背中に広くソフトに接触するようにしたりしてもよい。
【００３２】
この背負い式バッグの背当て部材は、凹部４により、背当て部材と使用者の背中との間に隙間が生じ、通気性がよくなるので、背中が蒸れにくくなり、しかも、隆起部分用クッション材１３ａを配置していない、外装生地１１と背板１２との間に空隙１６を有する領域が存在する隆起部分は、空隙１６により、隆起部分用クッション材１３ａよりも使用者の背中にソフトに当たるので、長時間使用者の背中に密着した状態でも、使用者に痛みを与えにくい。
【００３３】
また、隆起部分用クッション材１３ａを有する領域を設けることにより、使用者の背中への当たり具合の強さを適度なものに調整することが可能である。
【００３４】
なお、空隙１６を有する領域は、背負い式バッグを背負いながら走ったりしたときに揺れて使用者の腰に近い部分に強く当たる、前記分断された隆起部分１５ａの最下段のような、下端側に設けるのが効果的である。
【００３５】
【発明の効果】
この発明の背負い式バッグの背当て部材は、上述のような構成を有しており、空隙１６により、従来のクッション材を使用したものよりも、ソフトな感触が得られ、使用感を向上させることが可能となっている。また、隆起部分用クッション材１３ａを有する領域を設けることにより、使用者の背中への当たり具合の強さを適度なものに調整することができる。
【図面の簡単な説明】
【図１】この発明の実施形態の背負い式バッグの背当て部材を設けた背負い式バッグ（ランドセル）の正面図である。
【図２】この発明の実施形態の背負い式バッグの背当て部材を設けた背負い式バッグ（ランドセル）の正面図である。
【図３】この発明の実施形態の背負い式バッグの背当て部材の分解状態の斜視図である。
【図４】この発明の実施形態の背負い式バッグの背当て部材の断面図である。
【符号の説明】
１１  外装生地
１２  背板
１６  空隙
１３ａ  隆起部分用クッション材
【図１】
2004194929.tif 000003
【図２】
2004194929.tif 000004
【図３】
2004194929.tif 000005
【図４】
2004194929.tif 000006